(57)【特許請求の範囲】
【請求項１】
貯蔵室と、
前記貯蔵室内に配された上容器と、
前記上容器の前部に設けられ、下部が開口した上手掛け部と、
前記上容器の下方に配された下容器と、
前記下容器の前部に設けられた下手掛け部と、
前記貯蔵室の背面に開口し、前記上容器に冷気を吹き出す吹き出し口と、
前記上容器の前記上手掛け部の後部に開口し、前記下容器と連通する上流通孔と、
前記下容器に開口して前記貯蔵室と連通し、かつ、前記上流通孔より後方に設けられた下排気孔と、
前記貯蔵室の天井板から前記上容器の前面上部まで設けられた蓋と、
を有する冷蔵庫。
【請求項２】
冷蔵室内に設けられたチルド室と、
前記チルド室内に配された上容器と、
前記上容器の前部に設けられ、下部が開口した上手掛け部と、
前記上容器の下方に配された下容器と、
前記下容器の前部に設けられた下手掛け部と、
前記チルド室の背面に開口し、前記上容器に冷気を吹き出す吹き出し口と、
前記上容器の前記上手掛け部の後部に開口し、前記下容器と連通する上流通孔と、
前記下容器に開口して前記チルド室と連通し、かつ、前記上流通孔より後方に設けられた下排気孔と、
を有する冷蔵庫。
【請求項３】
前記上容器は、前面板、左右一対の側面板、背面板、底面板を含み、
前記底面板の熱伝導率が、前記前面板、左右一対の前記側面板、前記背面板の熱伝導率より高い、
請求項１又は２に記載の冷蔵庫。
【請求項４】
前記底面板が金属製であり、
前記前面板、左右一対の前記側面板、前記背面板が合成樹脂製である、
請求項３に記載の冷蔵庫。
【請求項５】
前記上流通孔の開口面積が、前記下排気孔の開口面積より広い、
請求項１又は２に記載の冷蔵庫。
【請求項６】
前記下排気孔が、冷却室に冷気を戻すリターンダクトの吸い込み口と対向している、
請求項１又は２に記載の冷蔵庫。
【発明の詳細な説明】
【技術分野】
【０００１】
本発明の実施形態は、冷蔵庫に関するものである。
【背景技術】
【０００２】
従来、冷蔵庫の冷蔵室には、肉や魚などの収納を行うためのチルド室が設けられ、このチルド室には、上下２段の上容器と下容器が引き出し自在に配されている。
【先行技術文献】
【特許文献】
【０００３】
【特許文献１】特開２００１−３３０３６１号公報
【特許文献２】特開２００３−３２９３６２号公報
【特許文献３】特開２００９−４７３８４号公報
【発明の概要】
【発明が解決しようとする課題】
【０００４】
しかし、上記のような上下２段の上容器と下容器であると、下容器の温度が冷蔵室の庫内温度と均一化し、また、冷蔵室の下方にある庫内温度の高い野菜室から熱が伝わるため、下容器内の温度が充分に冷却し難いという問題点があった。
【０００５】
そこで本発明は上記問題点に鑑み、上下２段の上容器と下容器の構造であっても、下容器内を充分に冷却できる冷蔵庫を提供することを目的とする。
【課題を解決するための手段】
【０００６】
本発明の実施形態は、貯蔵室と、前記貯蔵室内に配された上容器と、前記上容器の前部に設けられ、下部が開口した上手掛け部と、前記上容器の下方に配された下容器と、前記下容器の前部に設けられた下手掛け部と、前記貯蔵室の背面に開口し、前記上容器に冷気を吹き出す吹き出し口と、前記上容器の前記上手掛け部の後部に開口し、前記下容器と連通する上流通孔と、前記下容器に開口して前記貯蔵室と連通し、かつ、前記上流通孔より後方に設けられた下排気孔と、前記貯蔵室の天井板から前記上容器の前面上部まで設けられた蓋と、を有する冷蔵庫である。また、本発明の実施形態は、冷蔵室内に設けられたチルド室と、前記チルド室内に配された上容器と、前記上容器の前部に設けられ、下部が開口した上手掛け部と、前記上容器の下方に配された下容器と、前記下容器の前部に設けられた下手掛け部と、前記チルド室の背面に開口し、前記上容器に冷気を吹き出す吹き出し口と、前記上容器の前記上手掛け部の後部に開口し、前記下容器と連通する上流通孔と、前記下容器に開口して前記チルド室と連通し、かつ、前記上流通孔より後方に設けられた下排気孔と、を有する冷蔵庫である。
【図面の簡単な説明】
【０００７】
【図１】本発明の一実施形態を示す冷蔵庫の正面図。
【図２】冷蔵庫の縦断面図。
【図３】チルド室の正面図。
【図４】チルド室の側方から見た縦断面図。
【図５】上容器と下容器の正面から見た拡大縦断面図。
【図６】上容器と下容器とを収納した状態の要部拡大縦断面図。
【図７】上容器を引き出した状態の要部拡大縦断面。
【図８】下容器を引き出した状態の要部拡大縦断面。
【発明を実施するための形態】
【０００８】
以下、一実施形態の冷蔵庫１０について図１〜図８に基づいて説明する。
【０００９】
（１）冷蔵庫１０の構造
冷蔵庫１０の構造について図１と図２に基づいて説明する。図１は冷蔵庫１０の正面図、図２は冷蔵庫１０の側面から見た縦断面図である。
【００１０】
冷蔵庫１０のキャビネット１２は断熱箱体であって、内箱と外箱とより形成され、その間に断熱材が充填されている。このキャビネット１２内は、上から順番に冷蔵室１４、野菜室１６、小型冷凍室１８及び冷凍室２０を有し、小型冷凍室１８の横には製氷室２１が設けられている。野菜室１６と小型冷凍室１８及び製氷室２２の間には水平な断熱仕切体３６が設けられている。冷蔵室１４と野菜室１６とは水平な仕切体３８によって仕切られている。冷蔵室１４の前面には、観音開き式の扉１４ａ，１４ｂが設けられ、野菜室１６、小型冷凍室１８、冷凍室２０及び製氷室２１にはそれぞれ引出し式の扉１６ａ，１８ａ，２０ａ，２１ａが設けられている。
【００１１】
冷蔵室１４内には、複数の棚４０が水平に設けられ、下部にはチルド室４２が設けられている。このチルド室４２は低温室であって、上下二段の上容器６０と下容器６２に肉や魚を収納する。チルド室４２については、後から詳しく説明する。冷蔵室１４の扉１４ａの背面には複数のドアポケット４４が設けられている。野菜室１６には、引出し式の野菜容器４６、４８が設けられている。
【００１２】
冷蔵室１４の背面下部から野菜室１６の背面において、冷蔵用蒸発器（以下、「Ｒエバ」という）２８が設けられ、その下方には冷蔵用送風機（以下、「Ｒファン」という）３０が設けられている。Ｒエバ２８とＲファン３０とは、エバカバー１５で囲まれた冷却室であるＲエバ室１７に配されている。また、Ｒエバ１７の前方であって、冷蔵室１４の仕切り板３８の後部からＲファン３０に向かって、チルド室４２からの冷気のリターンダクト１５が設けられている。
【００１３】
小型冷凍室１８、製氷室２１の背面から冷凍室２０の背面にかけてのＦエバ室２９には、冷凍用蒸発器（以下、「Ｆエバ」という）３２が設けられ、その上方には冷凍用送風機（以下、「Ｆファン」という）３４が設けられている。Ｆエバ３２の下方には、不図示の除霜ヒータが設けられている。
【００１４】
図２に示すようにＲエバ２８で冷却された冷気は、Ｒファン３０によって冷蔵室１４、チルド室４２及び野菜室１６に送風される。チルド室４２から排出された冷気は、リターンダクト１５内に流れ、Ｒファン３０によってＲエバ２８に循環する。Ｆエバ３２で冷却された冷気は、Ｆファン３４によって小型冷凍室１８、製氷室２１、冷凍室２０に送風される。
【００１５】
キャビネット１２の背面底部には、機械室２２が設けられ、冷凍サイクル６２を構成する圧縮機２４などが載置されている。この機械室２２の背面上部には、制御板２６が設けられている。
【００１６】
（２）チルド室４２の構造
チルド室４２の構造について図３〜図８に基づいて説明する。
【００１７】
図３に示すように、冷蔵室１４の下部に設けられたチルド室４２は、冷蔵室１４の向かって右側に設けられ、左側にはタンク５０が配されている。タンク５０は、製氷室２１に設けられている製氷装置の製氷皿に水を供給するために配されている。
【００１８】
チルド室４２は、図５に示すように天井板５２と、タンク５０との境界に設けられた左板５４と、冷蔵室１４の右側面を構成している右板５６と、冷蔵室１４の背面を構成している背板５８と、冷蔵室１４の底面を構成している仕切体３８により囲まれ、チルド室４２内部には引き出し式の上容器６０と下容器６２が上下２段に配されている。また、天井板５２の前端部から上容器６０の前端部の間には、ヒンジ結合によって回動自在の蓋６４が吊り下げられている。
【００１９】
チルド室４２の背面５８の上部には、図４と図５に示すように、チルド室４２に冷気を吹き出すための吹き出し口６６が複数開口している。
【００２０】
チルド室４２の背面５８から底面の仕切り板３８にかけて複数の吸い込み口６３４が開口している。これら吸い込み口６３４は、リターンダクト１５に通じている。
【００２１】
上容器６０は、前面板６０１、左右一対の側面板６０２、背面板６０３、底面板６０４から構成され、上面が開口している。前面板６０１、左右一対の側面板６０２、背面板６０３は、合成樹脂製であり、底面板６０４が金属製である。また、前面板６０１の前部には上手掛け部６０５が形成されている。上手掛け部６０５は下部が開口し、上部が閉塞し、上手掛け部６０５の下端部中央には上切欠き部６０６が四角状に切り欠かれている。すなわち、上容器６０の前面板６０１の前方に上手掛け部６０５を上から被さるように設けられ、前面板６０１と上手掛け部６０５の間に手が挿入できる挿入空間６１５が形成される。また、前面板６０１の下部は段部６０８が形成されている。この段部６０８は、上手掛け部６０５の下方から指をより挿入し易くするためである（図７参照）。上手掛け部６０５の前面は階段状に形成され光散乱面６０７が形成されている。前面板６０１と底面板６０４の合わさっている角部には、図６〜図８に示すように、複数のスリット状の上流通孔６０９が幅方向に所定間隔毎に開口している。上容器６０の左右一対の側面板６０２は、前部から中央部に行くほど上方に膨らむ膨らみ部６１４が形成されている。この膨らみ部６１４は、蓋６４を押し上げる。図４と図５に示すように、上容器６０の左右一対の側面板６０２，６０２の外側には前後方向に左右一対の突条のレール６１０がそれぞれ突出している。図５に示すように、左右一対のレール６１０，６１０に対応して、左板５４と右板５６にはレール受け６１２が前後方向にそれぞれ形成されている。
【００２２】
下容器６２は、合成樹脂製であって、仕切体３８に引き出し自在に配され、前面板６２１、左右一対の側面板６２２、背面板６２３、底面板６２４より構成され、上面が開口している。また、前面板６２１の前部には下手掛け部６２５が形成されている。下手掛け部６２５は、下部が閉塞し、上部が開口し、下手掛け部６２５の上端部中央には下切欠き部６２６が四角状に切り欠かれている。すなわち、下容器６２の前面板６２１の前方に下手掛け部６２５が下から被さるように形成され、前面板６２１と下手掛け部６２５の間に手が挿入できる挿入空間６３０が形成される。図４と図５に示すように、仕切板３８の上面には左右一対の載置突条６２７が前後方向に突出し、この上に下容器６２が載置されている。図４と図５に示すように、下容器６２の左右一対の側面板６２２，６２２には左右一対の突条のレール６２８がそれぞれ突出している。チルド室４２の左板５４と右板５６には、レール６２８に対応したレール受け６２９が前後方向にそれぞれ形成されている。図４に示すように、下容器６２の前部下部が底上げ状態になっているのは、仕切体３８の前部が上方に膨らんでいるため、下容器６２を前方に引き出した場合にその膨らみに対応させるためである。下容器６２の背面板６２３には、複数の下排気孔６３２が設けられている。この下排気孔６３２に対向したチルド室４２の背面から仕切り板３８にかけて、吸い込み口６３４が開口している。また、上流通孔６０９の開口面積は、下排気孔６３２の開口面積より広く形成されている。
【００２３】
蓋６４は、チルド室４２の天井板５２の前端部から回動自在に、かつ、垂れ下がるように取り付けられている。蓋６４は、前面の断面形状が円弧状であり、蓋６４の上端部から後方に向かって左右一対のヒンジ片７０が突出している。また、天井板５２の前端部から左右一対のヒンジ支持片７２が突出している。ヒンジ支持片７２とヒンジ片７０とが、ヒンジ軸７４を介して回動自在にヒンジ結合している。蓋６４の下端は、後方に折り返されフランジ部７６が形成されている。蓋６４の円弧状の前面の上下方向の寸法は、天井板５２の前端部から上容器６０の上前端部までの寸法に相当し、蓋６４のフランジ部７６は、上容器６０の上手掛け部６０５の上面より若干上方に位置している。蓋６４の左端部には、押圧片６８が形成されている。これにより、蓋６４は、図７に示すように、上容器６０を前方に引き出すと、側面板６０２の前端部と膨らみ部６１４によって押圧片６８が押圧されて、ヒンジ軸７４を中心に上方に回転して蓋６４が開き、上容器６２の引き出しの障害とならない。
【００２４】
（３）チルド室４２内の作用
チルド室４２内の作用について説明する。図４に示すように、上容器６０と下容器６２がチルド室４２に収納された状態では、チルド室４２は、天井板５２、左板５４、右板５６、背面５８、上容器６０の前面板６０１、下容器６２の前面板６２１、蓋６４によって閉塞された空間となっており、Ｒエバ２８によって冷却されて吹き出し口６６から吹き出された冷気は、チルド室４２の外には漏れない。
【００２５】
そして、吹き出し口６６からチルド室４２内に吹き出された冷気は、上容器６０に侵入し、上容器６０内の肉や魚を冷却する。図５と図６に示すように、上容器６０を冷却した冷気は、上容器６０の前面下部にある複数の上流通孔６０９を通って下容器６２に流れ込む。上容器６０から流れ込んだ冷気は、下容器６２内の肉や魚を冷却し、下容器６２の背面板６２３に開口した下排気孔６３２から外部に排出され、その後に吸い込み口６３４からリターンダクト１５に流れる。リターンダクト１５内に流れた冷気は、Ｒエバ室１７のＲファン３０によってＲエバ２８に循環し、再び冷却される。
【００２６】
ユーザは、上容器６０を引き出すときは、図７に示すように下方が開口した上手掛け部６０５の上切欠き部６０６に下方から手を入れて前方に引き出すと、上容器６０のレール６１０はレール受け６１２に沿って移動し、上容器６０を簡単に引き出すことができる。また、左右一対の側面板６０２の前端部と膨らみ部６１４が蓋６４を押し上げる。
【００２７】
また、ユーザは、下容器６２を引き出すときは、図８に示すように、上方が開口した下手掛け部６２５の下切欠き部６２６に上方から手を入れて前方に引き出すと、下容器６２のレール６２８がレール受け６２９に沿って移動し、下容器６２の底面板６２４が載置突条６２７に載置された状態で前方に移動し、下容器６２を簡単に引き出すことができる。
【００２８】
（４）効果
本実施形態の冷蔵庫１０であると、Ｒエバ２８から最も近い位置の吹き出し口６６から冷気が吹き出されるため、チルド室４２内は、冷蔵室１４の他の部分よりも冷却され、肉や魚などの食品に適したチルド温度（０℃〜２℃）となる。すなわち、上容器６０は、上面が開口して、この開口した上面後方から冷気が吹き込まれるため、上容器６０内の食品を充分に冷却できる。また、図４と図６に示すように、上容器６０の前面板６０１から底面板６０４にかけて冷気通風孔６０９が開口しているため、上容器６０に侵入した冷気が上流通孔６０９を経て下容器６２内部に侵入し、侵入した冷気は、下容器６２の後方に流れつつ、下容器６２内の食品を冷却し、背面板６２３に開口した下排気孔６３２から外部に排出され、その後に吸い込み口６３４からリターンダクト１５に流れる。
【００２９】
また、上容器６０にある上流通孔６０９が下容器６２の前部に開口し、下排気孔６３２が下容器６２の後部に開口しているため、冷気が前から後に流れて食品をより冷却できる。
【００３０】
また、上容器６０の底面板６０４が金属製であり、他の合成樹脂製の前面板６０１、左右一対の側面板６０２、背面板６０３よりも熱伝導率が高く、底面板６０４から下容器６２に冷えた状態が面状に伝わりやすく、下容器６２内をより冷却できる。
【００３１】
また、チルド室４２の天井板５２に回動自在に吊り下げられた蓋６４が、上容器６０の前面板６０１の上部まで垂れ下がり、チルド室４２をシールし、冷気が他の部分に逃げ出すことがない。
【００３２】
また、上流通孔６０９の開口面積が、下排気孔６３２より広く形成されているので、下容器６２内に流れ込む冷気が、排出される冷気より多く、下容器６２内に溜まる冷気が増加して、下容器６２内をより冷却できる。
【００３３】
（５）変更例
上記実施形態では、上容器６０の前部に上流通孔６０９が開口し、下容器６２の後部に下排気孔６３２を開口していたが、これに代えて、上容器６０の後部に上流通孔６０９を開口し、下容器６２の前部に下排気孔６３２を開口してもよく、この場合であっても、冷気が後から前に流れて食品をより冷却できる。
【００３４】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００３５】
１０・・・冷蔵庫、１４・・・冷蔵室、１５・・・リターンダクト、１７・・・Ｒエバ室、３８・・・仕切体、４２・・・チルド室、６０・・・上容器、６２・・・下容器、６４・・・蓋、６６・・・吹き出し口、６０４・・・底面板、６０９・・・上流通孔、６３２・・・下排気孔
【図１】
0006592274.tif 000002
【図２】
0006592274.tif 000003
【図３】
0006592274.tif 000004
【図４】
0006592274.tif 000005
【図５】
0006592274.tif 000006
【図６】
0006592274.tif 000007
【図７】
0006592274.tif 000008
【図８】
0006592274.tif 000009